(57)【要約】【課題】メモリに蓄積する情報量を低減することができる蓄電素子の運転状態推定システムを提供する。【解決手段】蓄電素子２００の運転状態を推定する運転状態推定システムであって、運転状態推定システムは、第一運転状態推定装置１０３及び第二運転状態推定装置１０４を備え、第一運転状態推定装置１０３は、所定の期間における蓄電素子２００の充電または放電に関する情報を検出する検出部１１０と、当該充電または放電に関する情報を送信する第一通信部１５３と、を有し、第二運転状態推定装置１０４は、第一通信部１５３から当該充電または放電に関する情報を受信する第二通信部１５４と、当該充電または放電に関する情報を用いて、所定の期間における蓄電素子２００の状態量の変化を示すデータをパターン化することで得られるパターンデータを生成するパターンデータ生成部１３０と、を有する。【選択図】図１３
2018063954.tif 000002
【特許請求の範囲】
【請求項１】
蓄電素子の運転状態を推定する運転状態推定システムであって、
前記運転状態推定システムは、第一運転状態推定装置及び第二運転状態推定装置を備え、
前記第一運転状態推定装置は、
所定の期間における前記蓄電素子の充電または放電に関する情報を検出する検出部と、
前記充電または放電に関する情報を送信する第一通信部と、を有し、
前記第二運転状態推定装置は、
前記第一通信部から前記充電または放電に関する情報を受信する第二通信部と、
前記充電または放電に関する情報を用いて、前記所定の期間における前記蓄電素子の状態量の変化を示すデータをパターン化することで得られるパターンデータを生成するパターンデータ生成部と、を有する
運転状態推定システム。
【請求項２】
前記第二運転状態推定装置は、さらに、
前記充電または放電に関する情報を記憶するための第一記憶部と、
前記第一記憶部に記憶されている前記充電または放電に関する情報を読み出すことで前記充電または放電に関する情報を取得する履歴取得部と、を有し、
前記パターンデータ生成部は、取得された前記充電または放電に関する情報を用いて前記パターンデータを生成し、生成した前記パターンデータを前記第一記憶部に書き込むとともに、取得された前記充電または放電に関する情報を前記第一記憶部から消去する
請求項１に記載の運転状態推定システム。
【請求項３】
前記第二運転状態推定装置は、さらに、
前記蓄電素子の寿命試験結果から得られた試験データであって、前記パターンデータに応じた試験条件に対応する容量低下を示す試験データを記憶している第二記憶部と、
前記試験データと前記パターンデータとを照合することにより、前記所定の期間における前記蓄電素子の容量低下率を推定する寿命推定部と、を有する
請求項１または２に記載の運転状態推定システム。
【請求項４】
蓄電素子の運転状態を推定する運転状態推定システムであって、
前記運転状態推定システムは、第一運転状態推定装置及び第二運転状態推定装置を備え、
前記第一運転状態推定装置は、
所定の期間における前記蓄電素子の充電または放電に関する情報を検出する検出部と、
前記充電または放電に関する情報を用いて、前記所定の期間における前記蓄電素子の状態量の変化を示すデータをパターン化することで得られるパターンデータを生成するパターンデータ生成部と、
前記パターンデータを送信する第一通信部と、を有し、
前記第二運転状態推定装置は、
前記第一通信部から前記パターンデータを受信する第二通信部と、
前記パターンデータを用いて、前記所定の期間における前記蓄電素子の容量低下率を推定する寿命推定部と、を有する
運転状態推定システム。
【請求項５】
前記第二運転状態推定装置は、さらに、
前記蓄電素子の寿命試験結果から得られた試験データであって、前記パターンデータに応じた試験条件に対応する容量低下を示す試験データを記憶している第二記憶部を有し、
前記寿命推定部は、前記試験データと前記パターンデータとを照合することにより、前記所定の期間における前記蓄電素子の容量低下率を推定する
請求項４に記載の運転状態推定システム。
【請求項６】
蓄電素子の運転状態を推定する運転状態推定システムであって、
前記運転状態推定システムは、第一運転状態推定装置及び第二運転状態推定装置を備え、
前記第一運転状態推定装置は、
所定の期間における前記蓄電素子の充電または放電に関する情報を検出する検出部と、
前記充電または放電に関する情報を用いて、前記所定の期間における前記蓄電素子の状態量の変化を示すデータをパターン化することで得られるパターンデータを生成するパターンデータ生成部と、
前記パターンデータを送信する第一通信部と、を有し、
前記第二運転状態推定装置は、
前記第一通信部から前記パターンデータを受信する第二通信部と、
前記パターンデータを用いて、前記蓄電素子の寿命を推定する寿命推定部と、を有する
運転状態推定システム。
【請求項７】
前記寿命推定部は、前記所定の期間における前記蓄電素子の容量低下率を推定し、前記パターンデータと前記容量低下率とを用いて、前記蓄電素子の寿命を推定する
請求項６に記載の運転状態推定システム。
【請求項８】
前記第一運転状態推定装置は、さらに、
前記充電または放電に関する情報を記憶するための第一記憶部と、
前記第一記憶部に記憶されている前記充電または放電に関する情報を読み出すことで前記充電または放電に関する情報を取得する履歴取得部と、を有し、
前記パターンデータ生成部は、取得された前記充電または放電に関する情報を用いて前記パターンデータを生成し、生成した前記パターンデータを前記第一記憶部に書き込むとともに、取得された前記充電または放電に関する情報を前記第一記憶部から消去する
請求項４〜７のいずれか１項に記載の運転状態推定システム。
【請求項９】
前記蓄電素子の状態量は、前記蓄電素子の充放電電気量、ＳＯＣ（State Of Charge）、電流、電圧及び温度のうちの少なくとも１つである
請求項１〜８のいずれか１項に記載の運転状態推定システム。
【請求項１０】
蓄電素子の運転状態を推定する運転状態推定装置であって、
所定の期間における前記蓄電素子の充電または放電に関する情報を検出する検出部と、
前記充電または放電に関する情報を用いて、前記所定の期間における前記蓄電素子の状態量の変化を示すデータをパターン化することで得られるパターンデータを生成するパターンデータ生成部と、
前記所定の期間における前記充電または放電に関する情報を記憶するための第一記憶部と、
前記第一記憶部に記憶されている前記充電または放電に関する情報を読み出すことで前記充電または放電に関する情報を取得する履歴取得部とを備え、
前記パターンデータ生成部は、取得された前記充電または放電に関する情報を用いて前記パターンデータを生成し、生成した前記パターンデータを前記第一記憶部に書き込むとともに、取得された前記充電または放電に関する情報を前記第一記憶部から消去する
運転状態推定装置。
【請求項１１】
前記蓄電素子の状態量は、前記蓄電素子の充放電電気量、ＳＯＣ（State Of Charge）、電流、電圧及び温度のうちの少なくとも１つである
請求項１０に記載の運転状態推定装置。
【請求項１２】
第一運転状態推定装置及び第二運転状態推定装置を備える運転状態推定システムが、蓄電素子の運転状態を推定する運転状態推定方法であって、
前記第一運転状態推定装置が、所定の期間における前記蓄電素子の充電または放電に関する情報を検出する検出ステップと、
前記第一運転状態推定装置が、前記充電または放電に関する情報を送信する第一通信ステップと、
前記第二運転状態推定装置が、前記第一通信部から前記充電または放電に関する情報を受信する第二通信ステップと、
前記第二運転状態推定装置が、前記充電または放電に関する情報を用いて、前記所定の期間における前記蓄電素子の状態量の変化を示すデータをパターン化することで得られるパターンデータを生成するパターンデータ生成ステップと
を含む運転状態推定方法。
【請求項１３】
第一運転状態推定装置及び第二運転状態推定装置を備える運転状態推定システムが、蓄電素子の運転状態を推定する運転状態推定方法であって、
前記第一運転状態推定装置が、所定の期間における前記蓄電素子の充電または放電に関する情報を検出する検出ステップと、
前記第一運転状態推定装置が、前記充電または放電に関する情報を用いて、前記所定の期間における前記蓄電素子の状態量の変化を示すデータをパターン化することで得られるパターンデータを生成するパターンデータ生成ステップと、
前記第一運転状態推定装置が、前記パターンデータを送信する第一通信ステップと、
前記第二運転状態推定装置が、前記第一通信部から前記パターンデータを受信する第二通信ステップと、
前記第二運転状態推定装置が、前記パターンデータを用いて、前記所定の期間における前記蓄電素子の容量低下率を推定する寿命推定ステップと
を含む運転状態推定方法。
【請求項１４】
第一運転状態推定装置及び第二運転状態推定装置を備える運転状態推定システムが、蓄電素子の運転状態を推定する運転状態推定方法であって、
前記第一運転状態推定装置が、所定の期間における前記蓄電素子の充電または放電に関する情報を検出する検出ステップと、
前記第一運転状態推定装置が、前記充電または放電に関する情報を用いて、前記所定の期間における前記蓄電素子の状態量の変化を示すデータをパターン化することで得られるパターンデータを生成するパターンデータ生成ステップと、
前記第一運転状態推定装置が、前記パターンデータを送信する第一通信ステップと、
前記第二運転状態推定装置が、前記第一通信部から前記パターンデータを受信する第二通信ステップと、
前記第二運転状態推定装置が、前記パターンデータを用いて、前記蓄電素子の寿命を推定する寿命推定ステップと
を含む運転状態推定方法。
【請求項１５】
請求項１２〜１４のいずれか１項に記載の蓄電素子の運転状態推定方法に含まれるステップをコンピュータに実行させるためのプログラム。
【発明の詳細な説明】
【技術分野】
【０００１】
本発明は、蓄電素子の運転状態を推定する運転状態推定システム、運転状態推定装置、運転状態推定方法、及び蓄電素子と当該運転状態推定装置とを備える蓄電システムに関する。
【背景技術】
【０００２】
リチウムイオン二次電池などの蓄電素子は、ノートパソコンや携帯電話などのモバイル機器の電源として用いられてきたが、近年、電気自動車の電源など、幅広い分野で使用されるようになってきた。
【０００３】
そして、従来、このような蓄電素子に対して、充放電履歴などの情報に基づいて蓄電素子の運転状態を推定し、当該蓄電素子を制御する技術が提案されている（例えば、特許文献１参照）。この技術においては、充放電履歴などの蓄電素子に関する情報をメモリに蓄積し、当該メモリに蓄積された情報を用いて、充放電制御など蓄電素子の制御を行っている。
【先行技術文献】
【特許文献】
【０００４】
【特許文献１】特開２０１１−１１３７５９号公報
【発明の概要】
【発明が解決しようとする課題】
【０００５】
しかしながら、上記従来の技術においては、時間の経過とともに、メモリに蓄積される蓄電素子に関する情報の量が膨大になっていくため、大容量のメモリが必要になるという問題がある。
【０００６】
すなわち、蓄電素子の制御において蓄電素子の運転状態を精度良く推定するためには、充放電履歴などの蓄電素子に関する情報を短い周期でメモリに蓄積していく必要がある。このため、時間の経過とともに、メモリに蓄積される蓄電素子に関する情報量が膨大になってしまい、大容量のメモリが必要になる。
【０００７】
本発明は、上記問題を解決するためになされたものであり、メモリに蓄積する情報量を低減することができる蓄電素子の運転状態推定システム、運転状態推定装置、運転状態推定方法及び蓄電システムを提供することを目的とする。
【課題を解決するための手段】
【０００８】
上記目的を達成するために、本発明の一態様に係る蓄電素子の運転状態推定システムは、蓄電素子の運転状態を推定する運転状態推定システムであって、前記運転状態推定システムは、第一運転状態推定装置及び第二運転状態推定装置を備え、前記第一運転状態推定装置は、所定の期間における前記蓄電素子の充電または放電に関する情報を検出する検出部と、前記充電または放電に関する情報を送信する第一通信部と、を有し、前記第二運転状態推定装置は、前記第一通信部から前記充電または放電に関する情報を受信する第二通信部と、前記充電または放電に関する情報を用いて、前記所定の期間における前記蓄電素子の状態量の変化を示すデータをパターン化することで得られるパターンデータを生成するパターンデータ生成部と、を有する。
【０００９】
また、本発明の他の態様に係る蓄電素子の運転状態推定システムは、蓄電素子の運転状態を推定する運転状態推定システムであって、前記運転状態推定システムは、第一運転状態推定装置及び第二運転状態推定装置を備え、前記第一運転状態推定装置は、所定の期間における前記蓄電素子の充電または放電に関する情報を検出する検出部と、前記充電または放電に関する情報を用いて、前記所定の期間における前記蓄電素子の状態量の変化を示すデータをパターン化することで得られるパターンデータを生成するパターンデータ生成部と、前記パターンデータを送信する第一通信部と、を有し、前記第二運転状態推定装置は、前記第一通信部から前記パターンデータを受信する第二通信部と、前記パターンデータを用いて、前記所定の期間における前記蓄電素子の容量低下率を推定する寿命推定部と、を有する。
【００１０】
また、本発明の別の態様に係る蓄電素子の運転状態推定システムは、蓄電素子の運転状態を推定する運転状態推定システムであって、前記運転状態推定システムは、第一運転状態推定装置及び第二運転状態推定装置を備え、前記第一運転状態推定装置は、所定の期間における前記蓄電素子の充電または放電に関する情報を検出する検出部と、前記充電または放電に関する情報を用いて、前記所定の期間における前記蓄電素子の状態量の変化を示すデータをパターン化することで得られるパターンデータを生成するパターンデータ生成部と、前記パターンデータを送信する第一通信部と、を有し、前記第二運転状態推定装置は、前記第一通信部から前記パターンデータを受信する第二通信部と、前記パターンデータを用いて、前記蓄電素子の寿命を推定する寿命推定部と、を有する。
【００１１】
また、本発明の一態様に係る蓄電素子の運転状態推定装置は、蓄電素子の運転状態を推定する運転状態推定装置であって、所定の期間における前記蓄電素子の充電または放電に関する情報を検出する検出部と、前記充電または放電に関する情報を用いて、前記所定の期間における前記蓄電素子の状態量の変化を示すデータをパターン化することで得られるパターンデータを生成するパターンデータ生成部と、前記所定の期間における前記充電または放電に関する情報を記憶するための第一記憶部と、前記第一記憶部に記憶されている前記充電または放電に関する情報を読み出すことで前記充電または放電に関する情報を取得する履歴取得部とを備え、前記パターンデータ生成部は、取得された前記充電または放電に関する情報を用いて前記パターンデータを生成し、生成した前記パターンデータを前記第一記憶部に書き込むとともに、取得された前記充電または放電に関する情報を前記第一記憶部から消去する。
【００１２】
また、本発明の他の態様に係る蓄電素子の運転状態推定装置は、蓄電素子の運転状態を推定する運転状態推定装置であって、所定の期間における前記蓄電素子の充放電履歴を取得する履歴取得部と、取得された前記充放電履歴を用いて、前記所定の期間における前記蓄電素子の状態量の変化を示すデータのうち繰り返し行われた変化を示すデータをパターン化することで得られるパターンデータを生成するパターンデータ生成部とを備える。
【００１３】
これによれば、運転状態推定装置は、蓄電素子の充放電履歴を用いて、蓄電素子の状態量の変化がパターン化されたパターンデータを生成する。つまり、運転状態推定装置が、メモリに蓄積されている過去の充放電履歴をパターン化することで、パターンデータを生成するために用いた充放電履歴はメモリに保存しておく必要がなくなる。このため、当該運転状態推定装置によれば、メモリに蓄積する情報量を低減することができる。
【００１４】
また、前記履歴取得部は、前記所定の期間における前記蓄電素子の電圧及び電流の少なくとも一方を示す情報である第一情報と前記蓄電素子の使用期間を示す情報とを含む情報を前記充放電履歴として取得し、前記パターンデータ生成部は、前記第一情報から得られる前記蓄電素子の状態量を示す第二情報と前記使用期間を示す情報との関係を用いて、前記パターンデータを生成することにしてもよい。
【００１５】
これによれば、運転状態推定装置は、蓄電素子の電圧及び電流の少なくとも一方を示す第一情報から得られる蓄電素子の状態量を示す第二情報と蓄電素子の使用期間との関係を用いて、パターンデータを生成する。つまり、運転状態推定装置は、蓄電素子の電圧または電流と使用期間とからパターンデータを生成することができる。このため、運転状態推定装置は、容易に、パターンデータを生成することができる。
【００１６】
また、前記履歴取得部は、前記所定の期間における前記第一情報と前記蓄電素子の温度を示す情報と前記使用期間を示す情報とを含む情報を前記充放電履歴として取得し、前記パターンデータ生成部は、前記第二情報と前記温度を示す情報と前記使用期間を示す情報との関係を用いて、前記パターンデータを生成することにしてもよい。
【００１７】
これによれば、運転状態推定装置は、第二情報と蓄電素子の温度と使用期間との関係を用いて、パターンデータを生成する。つまり、運転状態推定装置は、蓄電素子の温度をさらに用いて、パターンデータを生成する。このため、運転状態推定装置は、蓄電素子の温度変化による影響も考慮して、精度良く、パターンデータを生成することができる。
【００１８】
また、さらに、前記所定の期間における前記充放電履歴を記憶するための第一記憶部を備え、前記履歴取得部は、前記第一記憶部に記憶されている前記充放電履歴を読み出すことで前記充放電履歴を取得し、前記パターンデータ生成部は、取得された前記充放電履歴を用いて前記パターンデータを生成し、生成した前記パターンデータを前記第一記憶部に書き込むとともに、取得された前記充放電履歴を前記第一記憶部から消去することにしてもよい。
【００１９】
これによれば、運転状態推定装置は、メモリから充放電履歴を取得してパターンデータを生成し、当該パターンデータをメモリに書き込むとともに、取得した充放電履歴をメモリから消去する。つまり、メモリに蓄積されている過去の充放電履歴をパターン化することで、パターン化された充放電履歴はメモリに保存しておく必要がなくなるため、運転状態推定装置は、当該充放電履歴をメモリから消去する。これにより、当該運転状態推定装置によれば、メモリに蓄積する情報量を低減することができる。
【００２０】
また、さらに、前記蓄電素子に接続され、前記蓄電素子から前記充放電履歴を検出する検出部を備え、前記履歴取得部は、前記検出部が検出した前記充放電履歴を取得することにしてもよい。
【００２１】
これによれば、運転状態推定装置は、蓄電素子から充放電履歴を検出することにより、当該充放電履歴を取得する。このため、運転状態推定装置は、外部機器から充放電履歴を取得するような必要がなく、自ら充放電履歴を検出することで、当該充放電履歴を取得することができる。
【００２２】
また、さらに、前記充放電履歴を外部機器から受信する通信部を備え、前記履歴取得部は、前記通信部が受信した前記充放電履歴を取得することにしてもよい。
【００２３】
これによれば、運転状態推定装置は、充放電履歴を外部機器から受信することにより、当該充放電履歴を取得する。このため、運転状態推定装置は、自ら充放電履歴を検出するような必要がなく、外部機器から充放電履歴を受信することにより、当該充放電履歴を取得することができる。
【００２４】
また、さらに、前記パターンデータを用いて、前記蓄電素子の寿命を推定する寿命推定部を備えることにしてもよい。
【００２５】
これによれば、運転状態推定装置は、パターンデータを用いて、蓄電素子の寿命を推定する。このため、運転状態推定装置は、過去の履歴をパターン化したデータを用いることで、複雑なデータ処理を行うような必要がなく、簡易に、蓄電素子の寿命を推定することができる。また、運転状態推定装置は、過去の履歴に基づいて推定を行うことにより、推定したい時点の蓄電素子に対して何らかの測定手段を講じてデータ（インピーダンス、容量、入出力特性等）を取得することなく、蓄電素子の寿命を推定することができる。
【００２６】
また、さらに、前記蓄電素子の寿命試験結果から得られた試験データであって、前記パターンデータに応じた試験条件に対応する容量低下を示す試験データを記憶している第二記憶部を備え、前記寿命推定部は、前記試験データと前記パターンデータ生成部が生成したパターンデータとを照合することにより、前記所定の期間における前記蓄電素子の容量低下率を推定することにしてもよい。
【００２７】
これによれば、運転状態推定装置は、事前に記憶されている試験データと、パターンデータとを照合することにより、所定の期間における蓄電素子の容量低下率を推定する。これにより、運転状態推定装置は、蓄電素子の性能が精度良く評価された試験データを用いて所定の期間における蓄電素子の容量低下率を推定することで、精度良く、所定の期間経過時点での蓄電素子の性能を把握することができる。
【００２８】
また、前記寿命推定部は、前記パターンデータ生成部が生成したパターンデータと、前記所定の期間における前記蓄電素子の容量低下率とを用いて、前記蓄電素子の寿命を推定することにしてもよい。
【００２９】
これによれば、運転状態推定装置は、パターンデータと、所定の期間における蓄電素子の容量低下率とを用いて、蓄電素子の寿命を推定する。これにより、運転状態推定装置は、過去の履歴を用いて、将来の蓄電素子の使用態様に応じた容量低下率を推定することができるため、精度良く、蓄電素子の寿命を推定することができる。
【００３０】
また、蓄電素子の運転状態を推定する運転状態推定装置であって、所定の期間における前記蓄電素子の状態量の変化を示すデータのうち繰り返し行われた変化を示すデータをパターン化することで得られるパターンデータを取得する取得部と、取得された前記パターンデータを用いて、前記蓄電素子の寿命を推定する寿命推定部とを備えることにしてもよい。
【００３１】
これによれば、運転状態推定装置は、蓄電素子の状態量の変化がパターン化されたパターンデータを取得し、当該パターンデータを用いて蓄電素子の寿命を推定する。このため、運転状態推定装置は、過去の履歴をパターン化したデータを用いることで、複雑なデータ処理を行うような必要がなく、簡易に、蓄電素子の寿命を推定することができる。
【００３２】
なお、本発明は、このような運転状態推定システムや運転状態推定装置として実現することができるだけでなく、蓄電素子と、当該蓄電素子の運転状態を推定する運転状態推定システムまたは運転状態推定装置とを備える蓄電システムとしても実現することができる。また、本発明は、運転状態推定システムや運転状態推定装置が行う特徴的な処理をステップとする運転状態推定方法としても実現することができる。また、本発明は、運転状態推定装置に含まれる特徴的な処理部を備える集積回路としても実現することができる。また、本発明は、運転状態推定方法に含まれる特徴的な処理をコンピュータに実行させるプログラムとして実現したり、当該プログラムが記録されたコンピュータ読み取り可能なＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体として実現したりすることもできる。そして、そのようなプログラムは、ＣＤ−ＲＯＭ等の記録媒体及びインターネット等の伝送媒体を介して流通させることができるのは言うまでもない。
【発明の効果】
【００３３】
本発明に係る蓄電素子の運転状態推定システムや運転状態推定装置等によれば、メモリに蓄積する情報量を低減することができる。
【図面の簡単な説明】
【００３４】
【図１】本発明の実施の形態に係る運転状態推定装置を備える蓄電システムの外観図である。
【図２】本発明の実施の形態に係る運転状態推定装置の機能的な構成を示すブロック図である。
【図３】本発明の実施の形態に係る充放電履歴データの一例を示す図である。
【図４】本発明の実施の形態に係るパターンデータ生成部が生成するパターンデータの一例を示す図である。
【図５Ａ】本発明の実施の形態に係る寿命推定部が蓄電素子の寿命の推定に用いる試験データの一例を示す図である。
【図５Ｂ】本発明の実施の形態に係る寿命推定部が蓄電素子の寿命の推定に用いる試験データの一例を示す図である。
【図５Ｃ】本発明の実施の形態に係る寿命推定部が蓄電素子の寿命の推定に用いる試験データの一例を示す図である。
【図６】本発明の実施の形態に係る運転状態推定装置が蓄電素子の運転状態を推定する処理の一例を示すフローチャートである。
【図７】本発明の実施の形態に係る履歴取得部が蓄電素子の充放電履歴を取得する処理の一例を示すフローチャートである。
【図８】本発明の実施の形態に係るパターンデータ生成部がパターンデータを生成する処理の一例を示すフローチャートである。
【図９】本発明の実施の形態に係る寿命推定部が蓄電素子の寿命を推定する処理の一例を示すフローチャートである。
【図１０】本発明の実施の形態に係る寿命推定部が蓄電素子の容量低下率を推定する処理を説明するための図である。
【図１１】本発明の実施の形態に係る寿命推定部が蓄電素子の寿命を推定する処理を説明するための図である。
【図１２】本発明の実施の形態の変形例１に係る第一運転状態推定装置及び第二運転状態推定装置の機能的な構成を示すブロック図である。
【図１３】本発明の実施の形態の変形例２に係る第一運転状態推定装置及び第二運転状態推定装置の機能的な構成を示すブロック図である。
【図１４】本発明の実施の形態の変形例２に係る履歴取得部が蓄電素子の充放電履歴を取得する処理の一例を示すフローチャートである。
【図１５】本発明の実施の形態の変形例３に係る運転状態推定装置の機能的な構成を示すブロック図である。
【図１６】本発明の実施の形態に係る運転状態推定装置を集積回路で実現する構成を示すブロック図である。
【発明を実施するための形態】
【００３５】
以下、図面を参照しながら、本発明の実施の形態に係る蓄電素子の運転状態推定システム、運転状態推定装置及び当該運転状態推定装置を備える蓄電システムについて説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００３６】
まず、蓄電システム１０の構成について、説明する。
【００３７】
図１は、本発明の実施の形態に係る運転状態推定装置１００を備える蓄電システム１０の外観図である。
【００３８】
同図に示すように、蓄電システム１０は、複数（同図では５個）の運転状態推定装置１００と、複数（同図では５個）の蓄電素子２００と、複数の運転状態推定装置１００及び複数の蓄電素子２００を収容する収容ケース３００とを備えている。つまり、１つの蓄電素子２００に対応して、１つの運転状態推定装置１００が配置されている。
【００３９】
運転状態推定装置１００は、それぞれ蓄電素子２００の上方に配置され、蓄電素子２００の運転状態を推定する回路を搭載した平板状の回路基板である。具体的には、１つの運転状態推定装置１００は、１つの蓄電素子２００に接続されており、当該１つの蓄電素子２００から情報を取得して、当該１つの蓄電素子２００の運転状態を推定する。
【００４０】
なお、ここでは、運転状態推定装置１００は、それぞれの蓄電素子２００の上方に配置されているが、運転状態推定装置１００はどこに配置されていてもよい。また、運転状態推定装置１００の形状も特に限定されない。
【００４１】
また、運転状態推定装置１００の個数は５個に限定されず、他の複数個数または１個であってもよい。つまり、複数の蓄電素子２００に対応して、１つの運転状態推定装置１００が配置されていてもよいし、１つの蓄電素子２００に対応して、複数の運転状態推定装置１００が配置されていてもよい。つまり、いくつの蓄電素子２００にいくつの運転状態推定装置１００が接続されている構成でもかまわない。この運転状態推定装置１００の詳細な機能構成の説明については、後述する。
【００４２】
蓄電素子２００は、電気を充電し、また、電気を放電することのできる二次電池であり、より具体的には、リチウムイオン二次電池などの非水電解質二次電池である。また、同図では５個の矩形状の蓄電素子２００が直列に配置されて組電池を構成している。なお、蓄電素子２００の個数は５個に限定されず、他の複数個数または１個であってもよい。また蓄電素子２００の形状も特に限定されない。
【００４３】
蓄電素子２００は、アルミニウムやアルミニウム合金などからなる長尺帯状の正極基材箔上に正極活物質層が形成された正極と、銅や銅合金などからなる長尺帯状の負極基材箔上に負極活物質層が形成された負極とを有している。ここで、正極活物質層に用いられる正極活物質、または負極活物質層に用いられる負極活物質としては、リチウムイオンを吸蔵放出可能な正極活物質または負極活物質であれば、適宜公知の材料を使用できる。
【００４４】
ここで、蓄電素子２００は、正極活物質として層状構造のリチウム遷移金属酸化物を含むリチウムイオン二次電池であるのが好ましい。具体的には、正極活物質として、ＬｉＮｉ１／３Ｃｏ１／３Ｍｎ１／３Ｏ２など、Ｌｉ１＋ｘＭ１−ｙＯ２（ＭはＦｅ、Ｎｉ、Ｍｎ、Ｃｏ等から選択される１種または２種以上の遷移金属元素、０≦ｘ＜１／３、０≦ｙ＜１／３）等の層状構造のリチウム遷移金属酸化物等を用いるのが好ましい。なお、当該正極活物質として、ＬｉＭｎ２Ｏ４やＬｉＭｎ１．５Ｎｉ０．５Ｏ４等のスピネル型リチウムマンガン酸化物や、ＬｉＦｅＰＯ４等のオリビン型正極活物質等と、上記層状構造のリチウム遷移金属酸化物とを混合して用いてもよい。
【００４５】
また、負極活物質としては、例えば、リチウム金属、リチウム合金（リチウム−ケイ素、リチウム−アルミニウム、リチウム−鉛、リチウム−錫、リチウム−アルミニウム−錫、リチウム−ガリウム、及びウッド合金等のリチウム金属含有合金）の他、リチウムを吸蔵・放出可能な合金、炭素材料（例えば黒鉛、難黒鉛化炭素、易黒鉛化炭素、低温焼成炭素、非晶質カーボン等）、ケイ素酸化物、金属酸化物、リチウム金属酸化物（Ｌｉ４Ｔｉ５Ｏ１２等）、ポリリン酸化合物、あるいは、一般にコンバージョン負極と呼ばれる、Ｃｏ３Ｏ４やＦｅ２Ｐ等の、遷移金属と第１４族乃至第１６族元素との化合物などが挙げられる。
【００４６】
なお、蓄電素子２００は、非水電解質二次電池には限定されず、非水電解質二次電池以外の二次電池であってもよいし、キャパシタであってもよい。
【００４７】
次に、運転状態推定装置１００の詳細な機能構成について、説明する。
【００４８】
図２は、本発明の実施の形態に係る運転状態推定装置１００の機能的な構成を示すブロック図である。
【００４９】
運転状態推定装置１００は、蓄電素子２００の運転状態を推定する装置である。同図に示すように、運転状態推定装置１００は、検出部１１０、履歴取得部１２０、パターンデータ生成部１３０、寿命推定部１４０、通信部１５０、第一記憶部１６０及び第二記憶部１７０を備えている。
【００５０】
また、第一記憶部１６０は、所定の期間における充放電履歴等を記憶するための不揮発性メモリの記憶領域であり、第一記憶部１６０には、充放電履歴データ１６０ａ及びパターンデータ１６０ｂが記憶されている。また、第二記憶部１７０は、蓄電素子２００の寿命試験結果から得られた試験データを記憶している不揮発性メモリの記憶領域であり、第二記憶部１７０には、試験データ１７０ａが記憶されている。
【００５１】
ここで、不揮発性メモリとは、ＲＯＭ（Ｒｅａｄ  Ｏｎｌｙ  Ｍｅｍｏｒｙ）、フラッシュメモリ、磁気記憶装置、光ディスクなどの無電源記録媒体であり、読み書き可能な非一時的な記録媒体である。また、不揮発性メモリとして、紙テープなどの紙媒体に印字した記録媒体も含まれる。
【００５２】
なお、第一記憶部１６０及び第二記憶部１７０は、１つの不揮発性メモリに記憶されている異なる記憶領域であってもよいし、それぞれが異なる不揮発性メモリに記憶されている記憶領域であってもかまわない。
【００５３】
検出部１１０は、蓄電素子２００に接続され、蓄電素子２００から充放電履歴を検出する。つまり、検出部１１０は、検出部１１０が載置されている蓄電素子２００の電極端子に、リード線などの配線によって電気的に接続されている。そして、検出部１１０は、所定の期間において、当該配線を介して、蓄電素子２００から充放電履歴を検出する。
【００５４】
具体的には、検出部１１０は、蓄電素子２００の状態を常に監視しておき、蓄電素子２００の状態に所定の変化が見られた都度、充放電履歴を検出する。例えば、検出部１１０は、蓄電素子２００の電圧の変化を監視し、電圧の差が現在の電圧の１％を超えた場合に、蓄電素子２００が充放電を行ったとみなして、充放電履歴を検出する。この場合、例えば、検出部１１０は、蓄電素子２００の電圧の変化が１％を超えた都度、充放電履歴を検出していく。つまり、検出部１１０は、蓄電素子２００の電圧の変化が１％のサンプリング周期で、充放電履歴を検出する。
【００５５】
なお、充放電履歴の検出のタイミングは上記に限定されず、また、検出部１１０は、蓄電素子２００の使用期間が１秒のサンプリング周期で充放電履歴を検出するなど、どのようなサンプリング周期を用いてもかまわない。
【００５６】
また、充放電履歴とは、蓄電素子２００の過去の運転履歴であり、蓄電素子２００が充電または放電を行った期間（使用期間）を示す情報、当該使用期間において蓄電素子２００が行った充電または放電に関する情報などを含む情報である。
【００５７】
具体的には、蓄電素子２００の使用期間を示す情報とは、蓄電素子２００が充電または放電を行った時点を示す情報である日付（年月日）及び時刻、または、蓄電素子２００が使用された累積使用期間などを含む情報である。
【００５８】
ここで、累積使用期間とは、蓄電素子２００の使用期間の累積値であり、具体的には、蓄電素子２００の使用開始時点から所定の時点までの間に、蓄電素子２００が使用された期間を積算した合計期間を示している。例えば、蓄電素子２００が断続的に使用されていた場合には、累積使用期間は、蓄電素子２００が使用されていなかった不使用期間を差し引いた期間を示す。なお、当該不使用期間の差し引き方は厳密でなくともよく、蓄電素子２００の使用開始時点から所定の時点までの当該不使用期間も含めた全期間を累積使用期間としてもよい。また、累積使用期間の単位としては、時間（時、分、秒）またはサイクル（充放電回数）が好ましいが、月や日など期間を表す単位であればどのようなものでもかまわない。
【００５９】
また、蓄電素子２００が行った充電または放電に関する情報とは、蓄電素子２００が行った充電または放電時の電圧、電流、温度及び電池状態などを示す情報であり、検出部１１０によって蓄電素子２００が充電または放電を行ったとみなされた場合に検出される。
【００６０】
ここで、温度とは、蓄電素子２００の温度であり、検出部１１０は、蓄電素子２００の容器や電極端子に温度計を設けて蓄電素子２００の温度を計測してもよいし、蓄電素子２００の周囲の温度を温度計によって計測してもよい。また、検出部１１０は、蓄電素子２００が使用されている地域の温度（外気温）を取得することにしてもよい。
【００６１】
また、電池状態とは、充電状態、放電状態、待機状態（充電も放電もしていない状態）など、蓄電素子２００がどのような状態にあるかを示す情報である。なお、蓄電素子２００の電圧または電流を示す情報から、当該電池状態が推認される場合には、当該電池状態を示す情報は不要である。
【００６２】
そして、検出部１１０は、検出した充放電履歴を、第一記憶部１６０に記憶されている充放電履歴データ１６０ａに書き込む。
【００６３】
図３は、本発明の実施の形態に係る充放電履歴データ１６０ａの一例を示す図である。
【００６４】
充放電履歴データ１６０ａは、所定の期間における蓄電素子２００の過去の運転履歴である充放電履歴を示すデータの集まりである。つまり、同図に示すように、充放電履歴データ１６０ａは、「日付」と「時刻」と「使用期間」と「電圧」と「電流」と「ＳＯＣ」と「温度」と「電池状態」とが対応付けられたデータテーブルである。
【００６５】
ここで、「日付」及び「時刻」には、蓄電素子２００が充電または放電を行った時点を示す情報である日付（年月日）及び時刻が記憶され、「使用期間」には、蓄電素子２００が使用された累積使用期間を示す値が記憶される。つまり、検出部１１０は、タイマなどから時間を計測して、当該日付（年月日）、時刻及び累積使用期間を取得（検出）し、「日付」、「時刻」及び「使用期間」に書き込む。なお、検出部１１０は、「日付」及び「時刻」に記憶されている情報を用いて当該累積使用期間を算出し、「使用期間」に書き込むことにしてもよい。
【００６６】
また、「電圧」、「電流」、「温度」及び「電池状態」には、蓄電素子２００が行った充電または放電に関する情報として、蓄電素子２００が行った充電または放電時の電圧、電流、温度及び電池状態を示す情報が記憶される。つまり、検出部１１０は、蓄電素子２００の電圧、電流、温度及び電池状態を取得（検出）し、「電圧」、「電流」、「温度」及び「電池状態」に書き込む。
【００６７】
また、「ＳＯＣ」には、蓄電素子２００が行った充電または放電時の蓄電素子２００のＳＯＣ（Ｓｔａｔｅ  Ｏｆ  Ｃｈａｒｇｅ：充電状態）を示す情報が記憶される。当該ＳＯＣは、蓄電素子２００の状態量を示す情報として後述のパターンデータ生成部１３０によって算出され、「ＳＯＣ」に書き込まれる。パターンデータ生成部１３０が当該ＳＯＣを算出する処理の説明については、後述する。
【００６８】
図２に戻り、履歴取得部１２０は、所定の期間における蓄電素子２００の充放電履歴を取得する。つまり、履歴取得部１２０は、検出部１１０が検出した充放電履歴を取得する。具体的には、履歴取得部１２０は、所定の期間における蓄電素子２００の電圧及び電流の少なくとも一方を示す情報である第一情報と蓄電素子２００の使用期間を示す情報とを含む情報を充放電履歴として取得する。さらに具体的には、履歴取得部１２０は、所定の期間における当該第一情報と蓄電素子２００の温度を示す情報と使用期間を示す情報とを含む情報を充放電履歴として取得する。
【００６９】
つまり、履歴取得部１２０は、第一記憶部１６０の充放電履歴データ１６０ａに記憶されている充放電履歴を読み出すことで、当該充放電履歴を取得する。ここで、履歴取得部１２０が取得する充放電履歴は、上述の通り、所定の期間における蓄電素子２００の電圧及び電流の少なくとも一方を示す第一情報と、蓄電素子２００の温度を示す情報と、蓄電素子２００の使用期間を示す情報とを含む情報である。
【００７０】
具体的には、履歴取得部１２０は、充放電履歴データ１６０ａに書き込まれている「電圧」、「電流」、「温度」及び「使用期間」の欄のデータのうち、所定の期間における電圧及び電流の少なくとも一方を示すデータである第一情報と、当該所定の期間における温度と、当該所定の期間における使用期間とを取得する。
【００７１】
ここで、所定の期間とは、後述のパターンデータ生成部１３０がパターンデータを生成する期間であり、本実施の形態では、蓄電素子２００の使用開始時点から現時点までの期間である。なお、当該所定の期間は、上記の期間に限定されず、開始時点は、蓄電素子２００が使用を開始されて一定期間経過した時点であってもよいし、終了時点は、現時点から一定期間前の時点であってもかまわない。
【００７２】
パターンデータ生成部１３０は、パターンデータを生成し、取得する。つまり、パターンデータ生成部１３０は、履歴取得部１２０が取得した充放電履歴を用いて、当該所定の期間における蓄電素子２００の状態量の変化を示すデータのうち繰り返し行われた変化を示すデータをパターン化することで得られるパターンデータを生成する。具体的には、パターンデータ生成部１３０は、上記の第一情報から蓄電素子２００の状態量を示す第二情報を算出し、パターンデータを生成する。また、パターンデータ生成部１３０は、生成したパターンデータを取得する取得部としての機能も有している。
【００７３】
つまり、パターンデータ生成部１３０は、上記の所定の期間における蓄電素子２００の電圧及び電流の少なくとも一方を示す第一情報を用いて、蓄電素子２００の状態量を示す第二情報を算出する。
【００７４】
ここで、蓄電素子２００の状態量とは、蓄電素子２００の状態を示す数値であり、例えば、蓄電素子２００の電圧や電流、または、蓄電素子２００の充放電状態を示す充放電電気量などである。なお、本実施の形態では、蓄電素子２００の状態量とは、蓄電素子２００の充放電電気量であり、蓄電素子２００の状態量を示す第二情報とは、蓄電素子２００のＳＯＣである。
【００７５】
つまり、パターンデータ生成部１３０は、例えば、ＳＯＣとＯＣＶ（Ｏｐｅｎ  Ｃｉｒｃｕｉｔ  Ｖｏｌｔａｇｅ：開回路電圧）との関係を示すＳＯＣ−ＯＣＶ特性を用いて、蓄電素子２００の電圧値からＳＯＣを推定することで、ＳＯＣを算出する。また、パターンデータ生成部１３０は、充放電電流を積算してＳＯＣを推定する電流積算法を用いて、蓄電素子２００の電流値からＳＯＣを算出することにしてもよい。
【００７６】
そして、パターンデータ生成部１３０は、上記の第一情報から得られる蓄電素子２００の状態量である充放電電気量を示す第二情報（ＳＯＣ）と蓄電素子２００の使用期間を示す情報との関係を用いて、パターンデータを生成する。具体的には、パターンデータ生成部１３０は、当該第二情報（ＳＯＣ）と蓄電素子２００の温度を示す情報と使用期間を示す情報との関係を用いて、パターンデータを生成する。
【００７７】
図４は、本発明の実施の形態に係るパターンデータ生成部１３０が生成するパターンデータの一例を示す図である。
【００７８】
パターンデータは、蓄電素子２００の運転パターンを示すデータである。具体的には、パターンデータは、蓄電素子２００のＳＯＣと蓄電素子２００の温度と蓄電素子２００の使用期間との関係を示すデータの集まりであり、例えばグラフ化した場合には、同図に示すように、グラフＰ１及びＰ２のように示される。つまり、グラフＰ１は、蓄電素子２００のＳＯＣと使用期間との関係を示すグラフであり、グラフＰ２は、蓄電素子２００の温度と使用期間との関係を示すグラフである。
【００７９】
ここで、パターンデータは、所定の期間における蓄電素子２００の状態量である充放電電気量の変化（ＳＯＣの変化）を示すデータのうち繰り返し行われた変化を示すデータをパターン化することで得られるデータである。つまり、所定の期間において、グラフＰ１及びＰ２のような変化が繰り返し行われた場合に、当該グラフＰ１及びＰ２のような変化を示すデータがパターンデータとして生成される。
【００８０】
例えば、平日は毎日、当該グラフＰ１及びＰ２のような変化で充放電が繰り返されるのであれば、当該グラフＰ１及びＰ２で示されるデータが、平日のパターンデータとして生成される。また、同様に、休日についても、パターンデータが生成される。なお、パターンデータの生成には、全く同じ充放電が繰り返される（全く同じグラフＰ１及びＰ２の形になる）必要はなく、一定のずれは許容される。このずれ量は、ユーザの設定などにより適宜定められる。
【００８１】
このように、パターンデータ生成部１３０は、当該所定の期間において、複数のパターンデータを生成する。なお、１つの充放電パターンしかない場合には、パターンデータ生成部１３０は、１つのパターンデータしか生成しないことにしてもよい。
【００８２】
そして、パターンデータ生成部１３０は、生成したパターンデータを第一記憶部１６０に記憶されているパターンデータ１６０ｂに書き込む。なお、パターンデータ生成部１３０は、パターンデータを、グラフＰ１及びＰ２のようなグラフの形でパターンデータ１６０ｂに書き込むことにしてもよいし、当該グラフを生成するためのデータの集まり（データテーブル）の形でパターンデータ１６０ｂに書き込むことにしてもよい。
【００８３】
さらに、パターンデータ生成部１３０は、パターンデータを生成するために用いた履歴取得部１２０が取得した充放電履歴を、第一記憶部１６０の充放電履歴データ１６０ａから消去する。つまり、当該充放電履歴は、パターンデータによってパターン化されているため、充放電履歴データ１６０ａに保存し続けておく必要がなく、充放電履歴データ１６０ａから消去することができる。
【００８４】
図２に戻り、寿命推定部１４０は、パターンデータ生成部１３０が生成したパターンデータを用いて、蓄電素子２００の寿命を推定する。具体的には、寿命推定部１４０は、蓄電素子２００の寿命試験結果から得られた試験データと、パターンデータ生成部１３０が生成したパターンデータとを照合することにより、上記の所定の期間における蓄電素子２００の容量低下率を推定して、蓄電素子２００の寿命を推定する。
【００８５】
図５Ａ〜図５Ｃは、本発明の実施の形態に係る寿命推定部１４０が蓄電素子２００の寿命の推定に用いる試験データの一例を示す図である。
【００８６】
当該試験データは、蓄電素子２００の寿命試験結果から得られた試験データであって、パターンデータ生成部１３０が生成したパターンデータに応じた試験条件に対応する容量低下（容量低下量または容量低下率）を示す試験データである。例えば、当該試験データをグラフ化した場合には、図５Ａ〜図５Ｃのグラフのように示される。
【００８７】
そして、当該試験データは、第二記憶部１７０の試験データ１７０ａに予め記憶されている。つまり、当該試験データは、図５Ａ〜図５Ｃに示すようなグラフの形で試験データ１７０ａに書き込まれているか、または、当該グラフを生成するためのデータの集まり（データテーブル）の形で試験データ１７０ａに書き込まれている。
【００８８】
ここで、図５Ａに示されたグラフは、例えば２０℃で蓄電素子２００の充放電を繰り返した場合の寿命試験結果から得られたサイクル劣化における蓄電素子２００の容量低下量を示すグラフである。また、図５Ｂに示されたグラフは、蓄電素子２００を例えば１０℃、ＳＯＣ９０％で放置した場合の寿命試験結果から得られた放置劣化における蓄電素子２００の容量低下量を示すグラフである。また、図５Ｃに示されたグラフは、蓄電素子２００を例えば１０℃、ＳＯＣ２０％で放置した場合の寿命試験結果から得られた放置劣化における蓄電素子２００の容量低下量を示すグラフである。なお、上記のグラフは、蓄電素子２００の容量低下率を示すグラフであってもよい。
【００８９】
つまり、パターンデータ生成部１３０が生成したパターンデータに、２０℃における充放電、１０℃及びＳＯＣ９０％における放置、及び、１０℃及びＳＯＣ２０％における放置が含まれている場合には、これらの試験データを用いることができる。具体的には、寿命推定部１４０は、図５Ａ〜図５Ｃに示された２０℃におけるサイクル劣化、１０℃及びＳＯＣ９０％における放置劣化、及び、１０℃及びＳＯＣ２０％における放置劣化などの試験データを用いて、蓄電素子２００の容量低下量（または容量低下率）を推定する。
【００９０】
さらに具体的には、寿命推定部１４０は、所定の期間において、パターンデータ生成部１３０が生成したパターンデータが繰り返された回数を、図５Ａ〜図５Ｃから算出される蓄電素子２００の容量低下量に乗じるなどして、所定の期間における蓄電素子２００の容量低下量（または容量低下率）を算出する。
【００９１】
以上のように、第二記憶部１７０の試験データ１７０ａには、様々な条件下での試験データが事前に書き込まれており、寿命推定部１４０は、試験データ１７０ａから、パターンデータ生成部１３０が生成したパターンデータに応じた試験条件に対応する容量低下量（または容量低下率）を示す試験データを読み出す。そして、寿命推定部１４０は、当該試験データと、パターンデータ生成部１３０が生成したパターンデータとを照合することにより、上記の所定の期間における蓄電素子２００の容量低下量（または容量低下率）を推定する。
【００９２】
また、寿命推定部１４０は、パターンデータ生成部１３０が生成したパターンデータと、上記の所定の期間における蓄電素子２００の容量低下量（または容量低下率）とを用いて、蓄電素子２００の寿命を推定する。
【００９３】
図２に戻り、通信部１５０は、外部機器とデータの送受信を行うための処理部である。具体的には、通信部１５０は、赤外線通信、インターネット、無線ＬＡＮ（Ｌｏｃａｌ  Ａｒｅａ  Ｎｅｔｗｏｒｋ）、Ｗｉ−Ｆｉ、Ｂｌｕｅｔｏｏｔｈ（登録商標）、Ｚｉｇｂｅｅ（登録商標）、ＲＦＩＤ（Ｒａｄｉｏ  Ｆｒｅｑｕｅｎｃｙ  ＩＤｅｎｔｉｆｉｃａｔｉｏｎ）、バーコード、ＱＲコード（登録商標）などを用いて通信を行うことができる処理部である。
【００９４】
例えば、通信部１５０は、パターンデータ生成部１３０が生成したパターンデータや、寿命推定部１４０が推定した蓄電素子２００の寿命などを外部機器へ送信したり、外部機器から試験データを受信して試験データ１７０ａに記憶させたりする。
【００９５】
次に、運転状態推定装置１００が蓄電素子２００の運転状態を推定する処理について、詳細に説明する。
【００９６】
図６は、本発明の実施の形態に係る運転状態推定装置１００が蓄電素子２００の運転状態を推定する処理の一例を示すフローチャートである。
【００９７】
まず、同図に示すように、履歴取得部１２０は、所定の期間における蓄電素子２００の充放電履歴を取得する（Ｓ１０２）。この履歴取得部１２０が蓄電素子２００の充放電履歴を取得する処理の詳細な説明については、後述する。
【００９８】
次に、パターンデータ生成部１３０は、履歴取得部１２０が取得した充放電履歴を用いて、当該所定の期間におけるパターンデータを生成する（Ｓ１０４）。このパターンデータ生成部１３０がパターンデータを生成する処理の詳細な説明については、後述する。
【００９９】
次に、寿命推定部１４０は、パターンデータ生成部１３０が生成したパターンデータを用いて、蓄電素子２００の寿命を推定する（Ｓ１０６）。この寿命推定部１４０が蓄電素子２００の寿命を推定する処理の詳細な説明については、後述する。
【０１００】
以上により、運転状態推定装置１００が蓄電素子２００の運転状態を推定する処理は、終了する。
【０１０１】
次に、履歴取得部１２０が蓄電素子２００の充放電履歴を取得する処理（図６のＳ１０２）について、詳細に説明する。
【０１０２】
図７は、本発明の実施の形態に係る履歴取得部１２０が蓄電素子２００の充放電履歴を取得する処理の一例を示すフローチャートである。
【０１０３】
同図に示すように、まず、検出部１１０は、蓄電素子２００から充放電履歴を検出する（Ｓ２０２）。具体的には、検出部１１０は、蓄電素子２００が充電または放電を行った日付（年月日）及び時刻を検出し、蓄電素子２００の使用期間を算出する。また、検出部１１０は、蓄電素子２００が行った充電または放電時の電圧、電流、温度及び電池状態などを検出する。
【０１０４】
そして、検出部１１０は、検出した充放電履歴を、第一記憶部１６０に記憶させる（Ｓ２０４）。具体的には、検出部１１０は、検出した充放電履歴を、第一記憶部１６０に記憶されている充放電履歴データ１６０ａに書き込む。つまり、検出部１１０は、蓄電素子２００が充電または放電を行った日付（年月日）及び時刻、蓄電素子２００の使用期間、蓄電素子２００が行った充電または放電時の電圧、電流、温度及び電池状態などを充放電履歴データ１６０ａに書き込む。
【０１０５】
そして、履歴取得部１２０は、検出部１１０が検出した充放電履歴を第一記憶部１６０から読み出すことで取得する（Ｓ２０６）。具体的には、履歴取得部１２０は、第一記憶部１６０の充放電履歴データ１６０ａに記憶されている充放電履歴を読み出すことで、当該充放電履歴を取得する。つまり、履歴取得部１２０は、充放電履歴データ１６０ａから、所定の期間における蓄電素子２００の電圧及び電流の少なくとも一方を示す第一情報と、蓄電素子２００の温度と、蓄電素子２００の使用期間を示す情報とを読み出し、これらの情報を含む情報を充放電履歴として取得する。
【０１０６】
以上により、履歴取得部１２０が蓄電素子２００の充放電履歴を取得する処理（図６のＳ１０２）は、終了する。
【０１０７】
次に、パターンデータ生成部１３０がパターンデータを生成する処理（図６のＳ１０４）について、詳細に説明する。
【０１０８】
図８は、本発明の実施の形態に係るパターンデータ生成部１３０がパターンデータを生成する処理の一例を示すフローチャートである。
【０１０９】
同図に示すように、まず、パターンデータ生成部１３０は、蓄電素子２００の状態量を示す情報と蓄電素子２００の使用期間を示す情報との関係を用いて、パターンデータを生成する（Ｓ３０２）。具体的には、パターンデータ生成部１３０は、当該第一情報から得られる蓄電素子２００の状態量である充放電電気量を示す第二情報（ＳＯＣ）と、蓄電素子２００の温度を示す情報と、蓄電素子２００の使用期間を示す情報との関係を用いて、パターンデータを生成する。
【０１１０】
つまり、パターンデータ生成部１３０は、履歴取得部１２０が取得した充放電履歴を用いて、当該所定の期間における蓄電素子２００の状態量である充放電電気量の変化を示すデータのうち繰り返し行われた変化を示すデータをパターン化することで得られるパターンデータを生成する。
【０１１１】
そして、パターンデータ生成部１３０は、生成したパターンデータを第一記憶部１６０に記憶されているパターンデータ１６０ｂに書き込む（Ｓ３０４）。
【０１１２】
そして、パターンデータ生成部１３０は、パターンデータを生成するために用いた充放電履歴を、第一記憶部１６０の充放電履歴データ１６０ａから消去する（Ｓ３０６）。
【０１１３】
以上により、パターンデータ生成部１３０がパターンデータを生成する処理（図６のＳ１０４）は、終了する。
【０１１４】
次に、寿命推定部１４０が蓄電素子２００の寿命を推定する処理（図６のＳ１０６）について、詳細に説明する。
【０１１５】
図９は、本発明の実施の形態に係る寿命推定部１４０が蓄電素子２００の寿命を推定する処理の一例を示すフローチャートである。また、図１０は、本発明の実施の形態に係る寿命推定部１４０が蓄電素子２００の容量低下率を推定する処理を説明するための図である。また、図１１は、本発明の実施の形態に係る寿命推定部１４０が蓄電素子２００の寿命を推定する処理を説明するための図である。
【０１１６】
まず、図９に示すように、寿命推定部１４０は、蓄電素子２００の寿命試験結果から得られた試験データと、パターンデータ生成部１３０が生成したパターンデータとを照合することにより、所定の期間における蓄電素子２００の容量低下率を推定する（Ｓ４０２）。
【０１１７】
具体的には、寿命推定部１４０は、試験データ１７０ａから、パターンデータ生成部１３０が生成したパターンデータに応じた試験条件に対応する容量低下量（または容量低下率）を示す試験データを読み出す。そして、寿命推定部１４０は、当該試験データと、パターンデータ生成部１３０が生成したパターンデータとを照合することにより、図１０に示すように、所定の期間における蓄電素子２００の容量低下量（または容量低下率）を推定する。
【０１１８】
そして、寿命推定部１４０は、パターンデータ生成部１３０が生成したパターンデータと、所定の期間における蓄電素子２００の容量低下量（または容量低下率）とを用いて、蓄電素子２００の寿命を推定する（Ｓ４０４）。
【０１１９】
具体的には、図１１に示すように、寿命推定部１４０は、所定の期間（Ｔ０〜Ｔ１）における蓄電素子２００の容量低下量（または容量低下率）を用いて、所定の期間（Ｔ０〜Ｔ１）における蓄電素子２００の容量維持率を示すグラフＱ１を推定する。そして、寿命推定部１４０は、パターンデータ生成部１３０が生成したパターンデータと、蓄電素子２００の容量維持率を示すグラフＱ１とから、蓄電素子２００の寿命を示すグラフＱ２〜Ｑ４を推定する。
【０１２０】
つまり、寿命推定部１４０は、将来（Ｔ１〜Ｔ２）の蓄電素子２００の運転パターン１〜３を外部機器から取得し、当該運転パターン１〜３に応じた蓄電素子２００の寿命を示すグラフＱ２〜Ｑ４を推定する。なお、寿命推定部１４０は、過去（Ｔ０〜Ｔ１）の蓄電素子２００の運転履歴から、将来（Ｔ１〜Ｔ２）の蓄電素子２００の運転パターンを予測し、蓄電素子２００の寿命（容量維持率）を推定することにしてもよい。
【０１２１】
以上により、寿命推定部１４０が蓄電素子２００の寿命を推定する処理（図６のＳ１０６）は、終了する。
【０１２２】
以上のように、本発明の実施の形態に係る運転状態推定装置１００によれば、蓄電素子２００の充放電履歴を用いて、蓄電素子２００の充放電電気量の変化がパターン化されたパターンデータを生成する。つまり、運転状態推定装置１００が、メモリに蓄積されている過去の充放電履歴をパターン化することで、パターン化された充放電履歴はメモリに保存しておく必要がなくなる。このため、運転状態推定装置１００によれば、メモリに蓄積する情報量を低減することができる。
【０１２３】
また、運転状態推定装置１００は、蓄電素子２００の電圧及び電流の少なくとも一方を示す情報である第一情報から得られる蓄電素子２００の状態量（充放電電気量）を示す第二情報と蓄電素子２００の使用期間との関係を用いて、パターンデータを生成する。つまり、運転状態推定装置１００は、蓄電素子２００の電圧または電流と使用期間とからパターンデータを生成することができる。このため、運転状態推定装置１００は、容易に、パターンデータを生成することができる。
【０１２４】
また、運転状態推定装置１００は、第二情報と蓄電素子２００の温度と使用期間との関係を用いて、パターンデータを生成する。つまり、運転状態推定装置１００は、蓄電素子２００の温度をさらに用いて、パターンデータを生成する。このため、運転状態推定装置１００は、蓄電素子２００の温度変化による影響も考慮して、精度良く、パターンデータを生成することができる。
【０１２５】
また、運転状態推定装置１００は、メモリから充放電履歴を取得してパターンデータを生成し、当該パターンデータをメモリに書き込むとともに、取得した充放電履歴をメモリから消去する。つまり、メモリに蓄積されている過去の充放電履歴をパターン化することで、パターン化された充放電履歴はメモリに保存しておく必要がなくなるため、運転状態推定装置１００は、当該充放電履歴をメモリから消去する。これにより、運転状態推定装置１００によれば、メモリに蓄積する情報量を低減することができる。
【０１２６】
また、運転状態推定装置１００は、蓄電素子２００から充放電履歴を検出することにより、当該充放電履歴を取得する。このため、運転状態推定装置１００は、外部機器から充放電履歴を取得するような必要がなく、自ら充放電履歴を検出することで、当該充放電履歴を取得することができる。
【０１２７】
また、運転状態推定装置１００は、パターンデータを用いて、蓄電素子２００の寿命を推定する。このため、運転状態推定装置１００は、過去の履歴をパターン化したデータを用いることで、複雑なデータ処理を行うような必要がなく、簡易に、蓄電素子２００の寿命を推定することができる。
【０１２８】
また、運転状態推定装置１００は、過去の履歴に基づいて推定を行うことにより、推定したい時点の蓄電素子２００に対して何らかの測定手段を講じてデータ（インピーダンス、容量、入出力特性等）を取得することなく、蓄電素子２００の寿命を推定することができる。
【０１２９】
また、運転状態推定装置１００は、事前に記憶されている試験データと、パターンデータとを照合することにより、所定の期間における蓄電素子２００の容量低下率を推定する。これにより、運転状態推定装置１００は、蓄電素子２００の性能が精度良く評価された試験データを用いて所定の期間における蓄電素子２００の容量低下率を推定することで、精度良く、所定の期間経過時点での蓄電素子２００の性能を把握することができる。
【０１３０】
また、運転状態推定装置１００は、パターンデータと、所定の期間における蓄電素子２００の容量低下率とを用いて、蓄電素子２００の寿命を推定する。これにより、運転状態推定装置１００は、過去の履歴を用いて、将来の蓄電素子２００の使用態様に応じた容量低下率を推定することができるため、精度良く、蓄電素子２００の寿命を推定することができる。
【０１３１】
（変形例１）
次に、本発明の実施の形態の変形例１について説明する。図１２は、本発明の実施の形態の変形例１に係る第一運転状態推定装置１０１及び第二運転状態推定装置１０２（運転状態推定システム）の機能的な構成を示すブロック図である。
【０１３２】
同図に示すように、第一運転状態推定装置１０１は、上記実施の形態における運転状態推定装置１００が有していた検出部１１０、履歴取得部１２０、パターンデータ生成部１３０及び第一記憶部１６０を備えており、また、通信部１５０に代えて第一通信部１５１を備えている。
【０１３３】
また、第二運転状態推定装置１０２は、上記実施の形態における運転状態推定装置１００が有していた寿命推定部１４０及び第二記憶部１７０を備えており、また、通信部１５０に代えて、第二通信部１５２を備えている。
【０１３４】
ここで、第一通信部１５１及び第二通信部１５２は、上記実施の形態における運転状態推定装置１００が有していた通信部１５０と同様に、赤外線通信やインターネットなどの外部機器とデータの送受信を行うための処理部であり、互いにデータの送受信を行う。例えば、第一通信部１５１は、第二通信部１５２に、パターンデータ生成部１３０が生成したパターンデータを送信し、第二通信部１５２は、第一通信部１５１から当該パターンデータを受信する。
【０１３５】
つまり、第二通信部１５２は、当該パターンデータを取得する取得部としての機能を有している。具体的には、第二通信部１５２は、所定の期間における蓄電素子２００の状態量（充放電電気量）の変化を示すデータのうち繰り返し行われた変化を示すデータをパターン化することで得られるパターンデータを取得する。そして、寿命推定部１４０は、第二通信部１５２が取得したパターンデータを用いて、蓄電素子２００の寿命を推定する。
【０１３６】
このように、第一運転状態推定装置１０１は、所定の期間におけるパターンデータを生成し、第二運転状態推定装置１０２は、当該パターンデータを用いて、蓄電素子２００の寿命を推定する。
【０１３７】
以上のように、本変形例に係る第一運転状態推定装置１０１及び第二運転状態推定装置１０２（運転状態推定システム）は、上記実施の形態における運転状態推定装置１００が有する機能を分離したものであり、上記実施の形態と同様の効果を奏することができる。
【０１３８】
（変形例２）
次に、本発明の実施の形態の変形例２について説明する。図１３は、本発明の実施の形態の変形例２に係る第一運転状態推定装置１０３及び第二運転状態推定装置１０４（運転状態推定システム）の機能的な構成を示すブロック図である。
【０１３９】
同図に示すように、第一運転状態推定装置１０３は、上記実施の形態における運転状態推定装置１００が有していた検出部１１０を備えており、また、通信部１５０及び第一記憶部１６０に代えて第一通信部１５３及び第一記憶部１６１を備えている。また、第一記憶部１６１には、充放電履歴データ１６１ａが記憶されている。
【０１４０】
また、第二運転状態推定装置１０４は、上記実施の形態における運転状態推定装置１００が有していた履歴取得部１２０、パターンデータ生成部１３０、寿命推定部１４０及び第二記憶部１７０を備えており、また、通信部１５０及び第一記憶部１６０に代えて、第二通信部１５４及び第一記憶部１６２を備えている。また、第一記憶部１６２には、充放電履歴データ１６２ａ及びパターンデータ１６２ｂが記憶されている。
【０１４１】
ここで、第一通信部１５３及び第二通信部１５４は、上記実施の形態における運転状態推定装置１００が有していた通信部１５０と同様に、赤外線通信やインターネットなどの外部機器とデータの送受信を行うための処理部であり、互いにデータの送受信を行う。
【０１４２】
つまり、第一運転状態推定装置１０３において、第一通信部１５３は、第二通信部１５４に、検出部１１０が検出して充放電履歴データ１６１ａに書き込んだ充放電履歴を送信する。
【０１４３】
また、第一通信部１５３は、第二通信部１５４に送信した充放電履歴を、第一記憶部１６１の充放電履歴データ１６１ａから消去する。つまり、当該充放電履歴は、第二運転状態推定装置１０４でパターンデータによってパターン化されているため、充放電履歴データ１６１ａに保存し続けておく必要がなく、充放電履歴データ１６１ａから消去することができる。
【０１４４】
そして、第二運転状態推定装置１０４において、第二通信部１５４は、第一通信部１５３から当該充放電履歴を受信して、受信した当該充放電履歴を充放電履歴データ１６２ａに書き込む。これによって、履歴取得部１２０は、第一運転状態推定装置１０３の検出部１１０が検出した充放電履歴を取得することができる。
【０１４５】
また、パターンデータ生成部１３０は、パターンデータを生成するために用いた履歴取得部１２０が取得した充放電履歴を、第一記憶部１６２の充放電履歴データ１６２ａから消去する。つまり、当該充放電履歴は、パターンデータによってパターン化されているため、充放電履歴データ１６２ａに保存し続けておく必要がなく、充放電履歴データ１６２ａから消去することができる。
【０１４６】
なお、第一記憶部１６１に記憶されている充放電履歴データ１６１ａと、第一記憶部１６２に記憶されている充放電履歴データ１６２ａとは、上記実施の形態における第一記憶部１６０に記憶されている充放電履歴データ１６０ａと同様の構成を有するため、詳細な説明は省略する。また、第一記憶部１６２に記憶されているパターンデータ１６２ｂについても、上記実施の形態における第一記憶部１６０に記憶されているパターンデータ１６０ｂと同様の構成を有するため、詳細な説明は省略する。
【０１４７】
これにより、第一運転状態推定装置１０３は、所定の期間における充放電履歴を検出し、第二運転状態推定装置１０４は、当該充放電履歴を用いて、パターンデータを生成し、蓄電素子２００の寿命を推定する。
【０１４８】
ここで、第二運転状態推定装置１０４の履歴取得部１２０が蓄電素子２００の充放電履歴を取得する処理（図６のＳ１０２）について、詳細に説明する。
【０１４９】
図１４は、本発明の実施の形態の変形例２に係る履歴取得部１２０が蓄電素子２００の充放電履歴を取得する処理の一例を示すフローチャートである。
【０１５０】
同図に示すように、まず、第二通信部１５４は、充放電履歴を外部機器から受信する（Ｓ５０２）。具体的には、第二通信部１５４は、第一運転状態推定装置１０３の第一通信部１５３から、充放電履歴を受信する。ここで、受信する充放電履歴は、上記実施の形態と同様に、蓄電素子２００が充電または放電を行った日付（年月日）及び時刻、蓄電素子２００の使用期間、蓄電素子２００が行った充電または放電時の電圧、電流、温度及び電池状態などである。
【０１５１】
そして、第二通信部１５４は、受信した当該充放電履歴を第一記憶部１６２に記憶させる（Ｓ５０４）。具体的には、第二通信部１５４は、受信した当該充放電履歴を、第一記憶部１６２に記憶されている充放電履歴データ１６２ａに書き込む。
【０１５２】
そして、履歴取得部１２０は、充放電履歴を第一記憶部１６２から読み出す（Ｓ５０６）。具体的には、履歴取得部１２０は、第二通信部１５４が受信した充放電履歴を、第一記憶部１６２に記憶されている充放電履歴データ１６２ａから読み出すことで、取得する。
【０１５３】
つまり、履歴取得部１２０は、上記実施の形態と同様に、充放電履歴データ１６２ａから、所定の期間における蓄電素子２００の電圧及び電流の少なくとも一方を示す情報である第一情報と、蓄電素子２００の温度を示す情報と、蓄電素子２００の使用期間を示す情報とを読み出し、これらの情報を含む情報を充放電履歴として取得する。
【０１５４】
以上のように、本変形例に係る第一運転状態推定装置１０３及び第二運転状態推定装置１０４（運転状態推定システム）は、上記実施の形態における運転状態推定装置１００が有する機能を分離したものであり、上記実施の形態と同様の効果を奏することができる。特に、本変形例に係る第二運転状態推定装置１０４によれば、充放電履歴を外部機器から受信することにより、当該充放電履歴を取得する。このため、第二運転状態推定装置１０４は、自ら充放電履歴を検出するような必要がなく、外部機器から充放電履歴を受信することにより、当該充放電履歴を取得することができる。
【０１５５】
（変形例３）
次に、本発明の実施の形態の変形例３について説明する。図１５は、本発明の実施の形態の変形例３に係る運転状態推定装置１０５の機能的な構成を示すブロック図である。具体的には、同図は、運転状態推定装置の最小の構成を示すブロック図である。
【０１５６】
同図に示すように、運転状態推定装置１０５は、上記実施の形態における運転状態推定装置１００が有していた履歴取得部１２０及びパターンデータ生成部１３０を備えていればよい。そして、運転状態推定装置１０５は、外部の検出部１１０及び第一記憶部１６０などとやり取りすることで、充放電履歴を取得して、パターンデータを生成する。
【０１５７】
以上のように、本発明の実施の形態の変形例３に係る運転状態推定装置１０５によっても、上記実施の形態と同様の効果を奏することができる。
【０１５８】
以上、本発明の実施の形態及びその変形例に係る運転状態推定システム、運転状態推定装置及び蓄電システムについて説明したが、本発明は、この実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１５９】
例えば、上記実施の形態及びその変形例では、履歴取得部１２０は、所定の期間における第一情報と蓄電素子２００の温度を示す情報と使用期間を示す情報とを含む情報を充放電履歴として取得することとした。しかし、履歴取得部１２０が取得する充放電履歴には、蓄電素子２００の温度を示す情報は含まれていなくともよい。つまり、履歴取得部１２０は、蓄電素子２００の電圧及び電流の少なくとも一方を示す情報である第一情報と蓄電素子２００の使用期間を示す情報とを含む情報を充放電履歴として取得する。そして、パターンデータ生成部１３０は、第一情報から得られる蓄電素子２００の状態量（充放電電気量）を示す第二情報と使用期間を示す情報との関係を用いて、パターンデータを生成する。この場合、検出部１１０は、蓄電素子２００が行った充電または放電に関する情報として、蓄電素子２００の温度を示す情報を検出することなく、蓄電素子２００の電圧及び電流の少なくとも一方を示す情報しか検出しないことにしてもかまわない。
【０１６０】
また、上記実施の形態及びその変形例では、蓄電素子２００の使用期間を用いて、蓄電素子２００の運転状態を推定することとした。しかし、蓄電素子２００が車に搭載されている電池である場合には、蓄電素子２００の使用期間に代えて、当該車の走行距離を用いることにしてもよい。つまり、充放電履歴データ１６０ａに当該車の走行距離を書き込むようにして、当該走行距離を用いて蓄電素子２００の運転状態を推定することにしてもかまわない。
【０１６１】
また、上記実施の形態及びその変形例では、パターンデータ生成部１３０は、蓄電素子２００の充放電電気量を示す第二情報としてＳＯＣを算出し、パターンデータを生成することとした。しかし、パターンデータ生成部１３０は、蓄電素子２００の電圧や電流などを当該第二情報として、パターンデータを生成することにしてもよい。
【０１６２】
また、本発明に係る運転状態推定装置が備える処理部は、典型的には、集積回路であるＬＳＩ（Ｌａｒｇｅ  Ｓｃａｌｅ  Ｉｎｔｅｇｒａｔｉｏｎ）として実現される。つまり、例えば図１６に示すように、本発明は、検出部１１０、履歴取得部１２０、パターンデータ生成部１３０、寿命推定部１４０及び通信部１５０を備える集積回路１０６として実現される。図１６は、本発明の実施の形態に係る運転状態推定装置を集積回路で実現する構成を示すブロック図である。
【０１６３】
なお、集積回路１０６が備える各処理部は、個別に１チップ化されても良いし、一部または全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【０１６４】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ
Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１６５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてあり得る。
【０１６６】
また、本発明は、このような運転状態推定システムや運転状態推定装置として実現することができるだけでなく、運転状態推定システムや運転状態推定装置が行う特徴的な処理をステップとする運転状態推定方法としても実現することができる。
【０１６７】
また、本発明は、運転状態推定方法に含まれる特徴的な処理をコンピュータに実行させるプログラムとして実現したり、当該プログラムが記録されたコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）
Ｄｉｓｃ）、半導体メモリとして実現したりすることもできる。そして、そのようなプログラムは、ＣＤ−ＲＯＭ等の記録媒体及びインターネット等の伝送媒体を介して流通させることができるのは言うまでもない。
【０１６８】
また、上記実施の形態及び上記変形例を任意に組み合わせて構築される形態も、本発明の範囲内に含まれる。
【産業上の利用可能性】
【０１６９】
本発明は、メモリに蓄積する情報量を低減することができる蓄電素子の運転状態推定システムや運転状態推定装置等に適用できる。
【符号の説明】
【０１７０】
１０  蓄電システム
１００、１０５  運転状態推定装置
１０１、１０３  第一運転状態推定装置
１０２、１０４  第二運転状態推定装置
１０６  集積回路
１１０  検出部
１２０  履歴取得部
１３０  パターンデータ生成部
１４０  寿命推定部
１５０  通信部
１５１、１５３  第一通信部
１５２、１５４  第二通信部
１６０、１６１、１６２  第一記憶部
１６０ａ、１６１ａ、１６２ａ  充放電履歴データ
１６０ｂ、１６２ｂ  パターンデータ
１７０  第二記憶部
１７０ａ  試験データ
２００  蓄電素子
３００  収容ケース
【図１】
2018063954.tif 000003
【図２】
2018063954.tif 000004
【図３】
2018063954.tif 000005
【図４】
2018063954.tif 000006
【図５Ａ】
2018063954.tif 000007
【図５Ｂ】
2018063954.tif 000008
【図５Ｃ】
2018063954.tif 000009
【図６】
2018063954.tif 000010
【図７】
2018063954.tif 000011
【図８】
2018063954.tif 000012
【図９】
2018063954.tif 000013
【図１０】
2018063954.tif 000014
【図１１】
2018063954.tif 000015
【図１２】
2018063954.tif 000016
【図１３】
2018063954.tif 000017
【図１４】
2018063954.tif 000018
【図１５】
2018063954.tif 000019
【図１６】
2018063954.tif 000020